(57)【要約】【課題】締め付け時の張力変動を抑え、ホース結合品質を向上させることができるホースクリップを提供する。【解決手段】ウォームねじ１８Ａ、ウォームねじ１８Ｂは互いにギア２２Ａ、ギア２２Ｂで噛み合い、且つそれぞれに設けられたネジ部２０Ａ、ネジ部２０Ｂがバンド１２に設けられたスリット１６Ａ、スリット１６Ｂにそれぞれ係合し、ウォームねじ１８Ａ、ウォームねじ１８Ｂの回転によってネジ部２０Ａ、ネジ部２０Ｂがスリット１６Ａ、スリット１６Ｂをバンド１２の長手方向に付勢することで、ハウジング１４がバンド１２上で長手方向に移動可能とするように、ハウジング１４によって支持されている。ウォームねじ１８Ａ、ウォームねじ１８Ｂに設けられたネジ部２０Ａ、ネジ部２０Ｂは互いに半ピッチずれた位置に設けられており、バンド１２上に設けられたスリット１６Ａ、スリット１６Ｂにそれぞれ係合する。【選択図】図１
2010151298.tif 000002
【特許請求の範囲】
【請求項１】
帯状剛性部材の一端側で長手方向に所定ピッチで２列の係合部が設けられ、一端側を外側として他端側と重なる状態で円環状に巻かれるバンド部と、
外周に形成されたネジ部で前記係合部に係合すると共に、回転することで前記バンド部の巻径を拡縮する一対のウォームねじと、
前記一対のウォームねじの長手方向一端にそれぞれ設けられ、噛合することで前記一対のウォームねじを互いに逆方向に回転させるギアと、
前記バンド部の他端側に設けられ、前記バンド部の一端側を内部に挿通させ、前記ウォームねじを前記バンド部の長手方向に沿って前記係合部に係合する状態で保持するハウジングと、を備え、
前記一対のウォームねじは外周に形成されたネジ部が長手方向で互いに半ピッチずれて配置されたことを特徴とするホースクリップ。
【発明の詳細な説明】
【技術分野】
【０００１】
本発明はホースクリップに関する。
【背景技術】
【０００２】
従来から、バンドを締め付けるネジに対して、これと交差するネジを噛み合わせて締め付けネジを操作する構造が存在する（例えば、特許文献１および特許文献２参照）。あるいはホースバンド自体にラックギアを設け、これと噛み合うピニオンギアを回転させることで締め付け操作を行う構成が存在する（例えば、特許文献３参照）。
【特許文献１】実開平０５−９００８７号公報
【特許文献２】実開平０１−１５０２９３号公報
【特許文献３】特表平０９−５０６４１２号公報
【発明の開示】
【発明が解決しようとする課題】
【０００３】
バンドに設けられた係合部にウォームねじを係合させ、ウォームねじの回転でバンドを締め付ける際、ウォームねじに切られたねじ部分は長手方向両端で途切れている。このためウォームねじと係合部との係合はウォームねじの端部で周期的に外れる。
【０００４】
これにより、バンドに発生する張力（ホース締結力）は、ウォームねじの回転角度に正比例して上昇せず、角度によって周期的に張力が低下する所謂張力の谷間が発生し、ホース結合品質の安定に影響を与える虞がある。
【０００５】
上記特許文献１および特許文献２の構成により、バンドの締め付け時に締め付け方向の力を反発力として受けないため、締め付け性に優れるが上記の周期的な締め付けトルク（張力）低下を防ぐことはできない。
【０００６】
また、上記特許文献３の構成ではホースバンド自体をラックギアとしており、ラックギアと係合するねじ機構にウォームねじを採用しているため、周期的な締め付けトルク低下は発生しないが、締め付け時の減速比が非常に大きいため、締め付け作業に時間がかかる欠点が存在する。
【０００７】
本発明は上記事実を考慮し、締め付け時の張力変動を抑え、ホース結合品質を向上させることができるホースクリップを提供することを目的とする。
【課題を解決するための手段】
【０００８】
請求項１に記載の本発明におけるホースクリップは、帯状剛性部材の一端側で長手方向に所定ピッチで２列の係合部が設けられ、一端側を外側として他端側と重なる状態で円環状に巻かれるバンド部と、外周に形成されたネジ部で前記係合部に係合すると共に、回転することで前記バンド部の巻径を拡縮する一対のウォームねじと、前記一対のウォームねじの長手方向一端にそれぞれ設けられ、噛合することで前記一対のウォームねじを互いに逆方向に回転させるギアと、前記バンド部の他端側に設けられ、前記バンド部の一端側を内部に挿通させ、前記ウォームねじを前記バンド部の長手方向に沿って前記係合部に係合する状態で保持するハウジングと、を備え、前記一対のウォームねじは外周に形成されたネジ部が長手方向で互いに半ピッチずれて配置されたことを特徴とする。
【０００９】
上記構成によれば、バンド部の一端側に設けられた２列の係合部に、互いに半ピッチずれて逆回転する一対のウォームねじが係合し、一方のウォームねじを回転させることで２列の係合部に係合した両方のウォームねじが回転するので、一方のウォームねじと係合部との係合がウォームねじの端部で外れても、他方のウォームねじの係合は外れないため、締め付け時の張力変動を抑えることができる。
【発明の効果】
【００１０】
本発明に係るホースクリップは上記構成としたので、締め付け時の張力変動を抑え、ホース結合品質を向上させることができるという優れた効果が得られる。
【発明を実施するための最良の形態】
【００１１】
＜構造の概要＞
本発明に係るホースクリップの実施形態を図１、図２に従って説明する。
【００１２】
図１、図２には、本発明が適用された実施形態に係るホースクリップが示されている。なお、本実施形態のホースクリップは、車両の燃料配管、水冷配管、オイル配管、ウォッシャ液配管（ラジエータ、ヒーター、パワーステアリング、ブレーキ、ウインドシールドウォッシャ装置）等に使用される車両用のホースクリップであっても、他の用途に供されるものであってもよい。
【００１３】
図１（Ａ）、図１（Ｂ）に示すように、本実施形態に係るホースクリップ１０は、金属薄板など剛性のある素材で形成された細長ベルト状のバンド１２と、バンド１２の一端に設けられたハウジング１４とから形成されている。
【００１４】
バンド１２の他端はハウジング１４に挿通され全体として円環状に巻かれており、バンド１２の他端には２列のスリット１６が所定のピッチで、互いに半ピッチずれた位置に設けられている。
【００１５】
図１（Ｂ）に示すように、ハウジング１４の内部にはスリット１６と係合するように、一対のウォームねじ１８Ａ、ウォームねじ１８Ｂが設けられている。ウォームねじ１８Ａ、ウォームねじ１８Ｂは、それぞれの一端に設けられたギア２２Ａとギア２２Ｂとが噛み合うことで連動し、一方を回転させることで他方はこれと逆方向に回転する構成とされている。またウォームねじ１８Ａの他端にはドライバ３０が係合し、ウォームねじ１８Ａを手動で回転可能とされている。
【００１６】
ウォームねじ１８Ａ、ウォームねじ１８Ｂは互いにギア２２Ａ、ギア２２Ｂで噛み合い、且つそれぞれに設けられたネジ部２０Ａ、ネジ部２０Ｂがバンド１２に設けられたスリット１６Ａ、スリット１６Ｂにそれぞれ係合し、ウォームねじ１８Ａ、ウォームねじ１８Ｂの回転によってネジ部２０Ａ、ネジ部２０Ｂがスリット１６Ａ、スリット１６Ｂをバンド１２の長手方向に付勢することで、ハウジング１４がバンド１２上で長手方向に移動可能とするように、ハウジング１４によって支持されている。
【００１７】
図２に示すようにウォームねじ１８Ａ、ウォームねじ１８Ｂに設けられたネジ部２０Ａ、ネジ部２０Ｂは図中ｄのように互いに半ピッチずれた位置に設けられており、バンド１２上に設けられたスリット１６Ａ、スリット１６Ｂにそれぞれ係合する。
【００１８】
＜作用効果＞
次に本発明の実施形態の作用および効果について説明する。図２に示すように、本実施形態においては、ウォームねじ１８Ａ、ウォームねじ１８Ｂはギア２２Ａ、ギア２２Ｂが互いに噛み合うことで連動し、互いに逆回転する。
【００１９】
このときウォームねじ１８Ａ、ウォームねじ１８Ｂにそれぞれ設けられたネジ部２０Ａ、ネジ部２０Ｂは互いに半ピッチずれた位置にあり、例えばネジ部２０Ａの長手方向終端にあるネジ山の末端２０ＡＥが、ウォームねじ１８Ａの回転によりスリット１６Ａとの係合が外れたとき、ウォームねじ１８Ｂに設けられたネジ部２０Ｂの終端にあるネジ山の末端２０ＢＥはスリット１６Ｂと係合している。
【００２０】
また同様にネジ部２０Ｂの末端２０ＢＥがスリット１６Ｂとの係合が外れたとき、ネジ部２０Ａの末端２０ＡＥはスリット１６Ａと係合している。すなわち、両方の末端２０ＡＥおよび末端２０ＢＥが同時にスリット１６Ａ、およびスリット１６Ｂとの係合が外れることはなく、常に少なくともどちらか一方は係合した状態とされている。
【００２１】
本願発明の構成と、従来のようにウォームねじが１本の場合との比較を、ウォームねじの回転とバンド張力との関係で図３に示す。
【００２２】
図３（Ａ）に示すように、ウォームねじが１本の場合はネジ部の末端がスリットから外れるタイミングが存在するため、ウォームねじの回転角度に応じて周期的にネジ部とスリットとの係合が弱まり、図のようにバンド張力の谷間Ｇ１が一定の間隔で発生する。
【００２３】
これに対して本願発明の構成では、前述のようにウォームねじ１８Ａとウォームねじ１８Ｂとが互いに半ピッチずれて逆方向に回転しているため、それぞれに設けられたネジ部２０Ａ、ネジ部２０Ｂの終端にあるネジ山の末端２０ＡＥおよび末端２０ＢＥの少なくとも一方は常に係合し続けている。
【００２４】
このため、図３（Ｂ）に示すようにウォームねじ１８の回転角に対してバンド張力の谷間Ｇ２は従来の構成と比較して小さく、より安定した張力を保った状態でバンド１２の締め付け作業を行うことができる。
【００２５】
さらにウォームねじ１８を回転させることで、締結された状態にあるバンド１２を緩める作業を行う場合においても、図２に示すネジ部２０Ａの他方の末端２０ＡＳと末端２０ＢＳとの、少なくともどちらか一方はスリット１６Ａまたはスリット１６Ｂに係合した状態であるため、安定した張力を保ったままの状態でバンド１２を緩める作業を行うことができる。
【００２６】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されず、本発明の要旨を逸脱しない範囲において種々なる態様で実施し得ることは言うまでもない。
【００２７】
すなわち、上記実施形態では２本のウォームねじを一対で回転させる構成を例に挙げたが、これに限定せず例えば３本またはそれ以上のウォームねじを組み合わせた構成であっても本発明を適用することができる。
【００２８】
あるいは、ウォームねじ同士をギアではなくタイミングベルト等で連動させても、あるいはウォームねじ同士の間にアイドラーギアを配置し、同方向に回転させる構成としてもよい。
【図面の簡単な説明】
【００２９】
【図１】本発明の実施形態に係るホースクリップを示す斜視図である。
【図２】図１に示されるホースクリップの構造を示した平面図および正面図である。
【図３】図１に示されるホースクリップの作用効果を従来例との比較で示すグラフである。
【符号の説明】
【００３０】
１０   ホースクリップ
１２   バンド
１４   ハウジング
１６   スリット
２０   ネジ部
２０ＡＥ      末端
２０ＢＥ      末端
２２Ａ ギア
２２Ｂ ギア
【図１】
2010151298.tif 000003
【図２】
2010151298.tif 000004
【図３】
2010151298.tif 000005